(57)【要約】【課題】環境に悪影響を与えることなく、水洗トイレ等から排出された汚水等を有効に利用する。【解決手段】トイレから排出された汚水等を段階的に浄化する複数の浄化処理室６〜８，１３〜１５を有する浄化処理タンク１，２と、この浄化処理タンク１，２により浄化処理された浄化水を貯留する浄化水貯留タンク３と、この浄化水貯留タンク３内に加圧ガスを供給して浄化水貯留タンク３内から押し出された浄化水を、水洗トイレ９の給水タンク３１および消火栓３５等からなる被給水部に圧送する圧送手段５とを設けた。【選択図】図１
2007177479.tif 000002
【特許請求の範囲】
【請求項１】
トイレから排出された汚水等を段階的に浄化する複数の浄化処理室を有する浄化処理タンクと、この浄化処理タンクにより浄化処理された浄化水を貯留する浄化水貯留タンクと、この浄化水貯留タンク内に加圧ガスを供給して浄化水貯留タンク内から押し出された浄化水を被給水部に圧送する圧送手段とを備えたことを特徴とする給水装置。
【請求項２】
上記圧送手段に、加圧ガスを貯留する蓄圧タンクと、この蓄圧タンクに貯留された加圧ガスを必要に応じて上記浄化水貯留タンクに供給する供給管とを設けたことを特徴とする請求項１に記載の給水装置。
【請求項３】
飲料水を貯留する飲料水貯留タンクと、この飲料水貯留タンク内に加圧ガスを供給して飲料水貯留タンク内から押し出された浄化水を被給水部に圧送する圧送手段とを備えたことを特徴とする請求項１または２に記載の給水装置。
【請求項４】
被給水部に浄化水を供給する浄化水の供給タンクを被給水部よりも高所に設け、災害発生時に圧送手段を介して浄化水貯留タンク内に加圧ガスを供給することにより浄化水貯留タンク内から押し出された浄化水を上記浄化水の供給タンクに圧送するように構成したことを特徴とする請求項１〜３の何れか１項に記載の給水装置。
【発明の詳細な説明】
【技術分野】
【０００１】
本発明は、トイレから排出された汚水等を段階的に浄化処理された浄化水を有効に利用する給水装置に関するものである。
【背景技術】
【０００２】
従来、例えば特許文献１に示されるように、ＦＲＰ製外殻の内部を隔壁により仕切って複数の空間を形成し、下部の部屋には、これらの設備から排出される汚水を溜める沈殿タンクを設け、さらに上記上部の部屋および下部の部屋と隣接して上記汚水を生物処理する合併処理浄化槽を設置して汚水を処理するとともに、上記ＦＲＰ製外殻の外部には上記汚水の処理設備を含む各種負荷電源に電力を供給する自家発電設備を取り付けた可搬式の合併処理浄化槽付仮設ハウスが知られている。
【特許文献１】特開２００３−６４８９４号公報
【発明の開示】
【発明が解決しようとする課題】
【０００３】
上記特許文献１に開示された合併処理浄化槽付仮設ハウスでは、上部の部屋に設置された水洗トイレに対して近隣の水道設備や湧き水、雨水等を使用するように構成されているため、地震等からなる災害の発生時等に上記水道設備等からの給水が遮断されると、上記水洗トイレを使用することが不可能になるという問題がある。また、上記合併処理浄化槽により浄化処理された処理水を河川等に放流するようにしているため、上記合併処理浄化槽の処理能力が不充分であれば環境汚染が発生し、処理能力を高度に設定した場合においても上記放流水により河川等が富栄養化される虞がある等の問題があった。
【０００４】
本発明は、上記の点に鑑みてなされたものであり、環境に悪影響を与えることなく、水洗トイレ等から排出された汚水等を有効に利用することができる給水装置を提供することを目的としている。
【課題を解決するための手段】
【０００５】
請求項１に係る発明は、トイレから排出された汚水等を段階的に浄化する複数の浄化処理室を有する浄化処理タンクと、この浄化処理タンクにより浄化処理された浄化水を貯留する浄化水貯留タンクと、この浄化水貯留タンク内に加圧ガスを供給して浄化水貯留タンク内から押し出された浄化水を被給水部に圧送する圧送手段とを備えたものである。
【０００６】
請求項２に係る発明は、上記請求項１に記載の給水装置において、上記圧送手段に、加圧ガスを貯留する蓄圧タンクと、この蓄圧タンクに貯留された加圧ガスを必要に応じて上記浄化水貯留タンクに供給する供給管とを設けたものである。
【０００７】
請求項３に係る発明は、上記請求項１または２に記載の給水装置において、飲料水を貯留する飲料水貯留タンクと、この飲料水貯留タンク内に加圧ガスを供給して飲料水貯留タンク内から押し出された浄化水を被給水部に圧送する圧送手段とを備えたものである。
【０００８】
請求項４に係る発明は、上記請求項１〜３の何れか１項に記載の給水装置において、被給水部に浄化水を供給する浄化水の供給タンクを被給水部よりも高所に設け、災害発生時に圧送手段を介して浄化水貯留タンク内に加圧ガスを供給することにより浄化水貯留タンク内から押し出された浄化水を上記浄化水の供給タンクに圧送するように構成したものである。
【発明の効果】
【０００９】
上記請求項１に係る発明によれば、地震等からなる災害の発生時等に、上記圧送手段から浄化水貯留タンク内に加圧ガスを供給することにより、この浄化水貯留タンク内の浄化水を、水洗トイレの給水タンクおよび消火栓等からなる被給水部に供給することができるため、浄化水貯留タンク内に貯留された洗浄水の有効利用を図ることができる。
【００１０】
上記請求項２に係る発明によれば、地震等からなる災害の発生時等に、蓄圧タンクに貯留された加圧ガスを上記浄化水貯留タンクに供給することにより、この浄化水貯留タンク内の浄化水を被給水部に対して簡単かつ迅速に圧送できるという利点がある。
【００１１】
上記請求項３に係る発明によれば、地震等からなる災害の発生時等に、上記圧送手段から飲料水貯留タンク内に加圧ガスを供給することにより、この飲料水貯留タンク内の浄化水を被給水部に供給することができるため、ライフラインが回復されるまでの間、上記飲料水貯留タンクを利用して飲料水を確保できるという利点がある。
【００１２】
上記請求項４に係る発明によれば、地震等からなる災害の発生時等に、上記圧送手段から浄化水貯留タンク内に加圧ガスを供給して浄化水貯留タンク内から押し出された浄化水を、高所に位置する浄化水の供給タンク内に圧送することにより、給水ラインを気密状態に維持する等の煩雑な構成を採用することなく、上記供給タンク内に圧送されて貯留された浄化水を長期間に亘り有効に利用できるという利点がある。
【発明を実施するための最良の形態】
【００１３】
図１は、本発明に係る給水装置の実施形態を示している。この給水装置は、鋼板材、アルミニウム合金材、ステンレス鋼材、プラスチック材、ＰＣ（プレストレスコンクリート）材、鉄筋コンクリート材、ＦＲＰ（繊維強化プラスチック）材またはプラスチック材等により形成された複数の浄化処理室６〜８を有する第１浄化処理タンク１と、この第１浄化処理タンク１から導出された処理水を浄化処理する複数の浄化処理室１３〜１５および浄化水を貯留する浄化水貯留室１６を有する第２浄化処理タンク２と、この第２浄化処理タンク２から導出された浄化水を貯留する浄化水貯留タンク３と、水道水等の飲料水を貯留する飲料水貯留タンク４と、上記浄化水貯留タンク３内の浄化水および飲料水貯留タンク４内の飲料水を必要に応じて被給水部に圧送する圧送手段５とを備えている。
【００１４】
上記第１浄化処理タンク１は、最上流部に位置する沈殿分離室からなる最上流浄化処理室６と、その下流側に位置する接触ばっ気処理室からなる第２浄化処理室７と、その下流側に位置する沈殿室からなる第３浄化処理室８とを有し、家屋または公衆便所等に設置された水洗トイレ９の便器１０から排出管１１を介して導出された汚水等が上記最上流浄化処理室６内に導入されるようになっている。
【００１５】
また、上記第２浄化処理タンク２は、第１浄化処理タンク１から連結管１２を介して導出された処理水が導入される第１の接触濾過室からなる第４浄化処理室１３と、この第４浄化処理室１３の下流側に位置する第２の接触濾過室からなる第５浄化処理室１４と、この第５浄化処理室１４の下流側に位置する沈殿濾過室からなる最下流浄化処理室１５と、この最下流浄化処理室１５から導出された処理水を脱色処理して貯留する浄化水貯留室１６とを有している。
【００１６】
上記第１浄化処理タンク１の最上流浄化処理室（沈殿分離室）６は、導入された汚水中の紙および粗大異物等の汚泥成分を沈殿させて分離した後に、この分離後の処理水を上記第２浄化処理室７にオーバフローさせて導出するとともに、この第２浄化処理室７に浮遊物が流失するのをバッフルプレート１７により阻止するように構成されている。なお、上記最上流浄化処理室６において沈殿した固形分は、定期的（例えば１年毎）に外部に吸い出されて処理される。
【００１７】
上記第２浄化処理室８（接触ばっ気室）には、従来周知の図示を省略したプラスチック製接触材および濾過膜材が設置されるとともに、ブロア１８から供給された空気を上記プラスチック製接触材の下方に放出する散気管１９が接続されている。そして、上記最上流浄化処理室７の上部からオーバフローすることにより第２浄化処理室８内に導入された処理水が、散気管１９から放出された空気によって撹拌されつつ、上記プラスチック製接触材に付着して生息した微生物により上記分離水中の汚泥成分が分解処理されるとともに、濾過膜材により濾過処理されるように構成されている。
【００１８】
また、上記第２浄化処理室７内において浄化処理された処理水は、連通路を介して第３浄化処理室８（沈殿室）内に導入されることにより沈殿処理される。この第３浄化処理室８内において沈殿処理された処理水は、上記連結管１２を介して上記第２浄化処理タンク２内にオーバフローすることにより、上記第４浄化処理室１３および第５浄化処理室１４内に順次導入されるようになっている。この第４，第５浄化処理室（接触濾過室）１３，１４内には、メッシュ状の袋体内にカキ、ホタテ貝、ホッキ貝、真珠貝、アサリ、シジミ、はまぐり、アオヤギ、カラス貝、サザエ、ミル貝もしくは貝化石等からなる貝殻、または死滅して白化した珊瑚が収容されてなる貝殻・珊瑚製接触材（図示せず）が充填されるとともに、その下方にブロア１８から供給された空気を放出する散気管２０が接続されている。
【００１９】
そして、上記第４，第５浄化処理室１３，１４内に導入された処理水は、散気管２０から放出された空気によって撹拌されつつ、上記貝殻・珊瑚製接触材に付着した状態で生息する微生物により、上記処理水中の汚泥成分が分解処理される。また、上記第５浄化処理室１４において浄化処理された処理水は、その下端部から最下流浄化処理室１５に導出される。この最下流浄化処理室（沈殿濾過室）１５は、多孔質体からなるゼオライトが収容された濾過体（図示せず）を有し、上記第５浄化処理室１４から導出された処理水中の不純物を沈殿させて汚水と上澄み水とに分離するとともに、この上澄み水中の微細な不純物を上記濾過体により濾過して浄化水を生成するように構成されている。
【００２０】
上記最下流浄化処理室１５において生成された浄化水は、上記浄化水貯留室１６内にオーバフローして導出される。この浄化水貯留室１６には、図２に示すように、複数の透孔が形成された仕切り板２１，２２が上下に設置された吸着筒２３と、この吸着筒２３内の仕切り板２１，２２間に配設された活性炭収容体２４と、浄化水貯留室１６内の処理水を吸引して上記活性炭収容体２４の下方部に吐出する循環ポンプ２５および循環パイプ２６を有する循環手段２７とが設けられている。上記活性炭収容体２４は、布材等からなる袋体内に石炭系の活性炭が充填されることにより構成されている。上記循環手段２７により活性炭収容体２４の下方部に吐出された処理水が、上記吸着筒２３内を通って上記浄化水貯留室１６内を循環するとともに、その際に、活性炭収容体２４内の石炭系活性炭により色素成分が吸着されて効果的に脱色されるようになっている。
【００２１】
上記浄化水貯留室１６において脱色処理された浄化水は、図１に示すように、その一部が給水ポンプ２８および給水パイプ２９を有する給水手段３０によって水洗トイレ９の給水タンク３１に供給されるとともに、残りが導出管３２を介して上記浄化水貯留タンク３に導出されて貯留されるように構成されている。上記導出管３２には、浄化水貯留タンク３内の浄化水が第２浄化処理タンク２に逆流するのを阻止するとともに、後述する加圧ガスの供給時に浄化水貯留タンク３を気密状態に維持するための逆止弁３２ａが設けられている。
【００２２】
また、上記浄化水貯留タンク３の容量は、第１浄化処理タンク１および第２浄化処理タンク２からなる汚水浄化装置の定期点検を行う前に、この汚水浄化処理装置によって汚水が浄化処理されることにより生成された浄化水が、上記浄化水貯留タンク３からオーバフローするのを防止し得る容量に設定されている。すなわち、上記水洗トイレ９の便器１０から排出管１１を介して第１浄化処理タンク１の最上流浄化処理室６内に導入される汚水等は、上記汚水浄化装置により浄化処理された後に給水手段３０を介して水洗トイレ９の給水タンク３１に供給されることにより循環使用される処理水と、上記給水タンク３１に水道等から適宜に補充される補充水と、上記水洗トイレの便器１０に排出された糞尿等とからなり、この糞尿等に起因した処理水と上記補充水とに相当する量だけ処理水量が順次増大し、この増大した処理水量に相当する浄化水が上記浄化水貯留タンク３内に貯留されることになる。したがって、例えば１年毎に定期点検が行われる場合には、この間に増大した上記浄化水を上記浄化水貯留タンク３内に貯留し得るように、その容量が設定されている。
【００２３】
上記圧送手段５は、空気または窒素ガス等を圧縮して加圧した加圧ガスを貯留する蓄圧タンク３３と、この蓄圧タンク３３内の加圧ガスを必要に応じて上記浄化水貯留タンク３に供給する第１供給管３４と、上記蓄圧タンク３３内の浄化水を水洗トイレ９の給水タンク３１および消火栓３５等からなる被給水部に圧送する第１圧送管３７とを有している。また、上記圧送手段５には、蓄圧タンク３３内の加圧ガスを必要に応じて上記飲料水貯留タンク４に供給する第２供給管３８と、上記蓄圧タンク３３内の飲料水を水道の蛇口３９からなる被給水部に圧送する第２圧送管４０とが設けられている。
【００２４】
そして、地震等からなる災害の発生時等には、第１供給管３４に設けられた開閉バルブ４１を開放状態とすると、上記蓄圧タンク３３から第１供給管３４を介して浄化水貯留タンク３内に加圧ガスが供給され、その圧力に応じて浄化水貯留タンク３内から押し出された浄化水が、上記第１圧送管３７を介して上記給水タンク３１および消火栓３５等に圧送される。また、上記第２供給管３８に設けられた開閉バルブ４２を開放状態とすると、上記蓄圧タンク３３から第２供給管３８を介して飲料水貯留タンク４内に加圧ガスが供給され、その圧力に応じて飲料水貯留タンク４内から押し出された飲料水が、上記第２圧送管４０を介して上記水道の蛇口３９等に圧送されるようになっている。
【００２５】
上記構成において、水洗トイレ９の便器１０から排出管１１を介して第１浄化処理タンク１の最上流浄化処理室（沈殿分離室）６内に導入された汚水等は、この最上流浄化処理室６内において紙および粗大異物等の汚泥成分が沈殿分離された後、第２浄化処理室（接触ばっ気室）７内に導入される。この第２浄化処理室７内に導入された処理水は、その汚泥成分が微生物により分解処理されるとともに、第３浄化処理室（沈殿室）８に導入されて沈殿処理された後、上記第２浄化処理タンク２の第４，第５流浄化処理室（接触濾過室）１３，１４および最下流浄化処理室（沈殿濾過室）１５を経て浄化水貯留室１６内に導入されて貯留され、さらに上記浄化水貯留タンク３に導出されて貯留される。
【００２６】
そして、地震等からなる災害の発生時等には、第１供給管３４の開閉バルブ４１を開放状態として上記蓄圧タンク３３から浄化水貯留タンク３内に加圧ガスを供給することにより、浄化水貯留タンク３内の浄化水を、上記給水タンク３１および消火栓３５等からなる被給水部に圧送することができる。このため、上記災害の発生等により、水道水や電力等を供給するライフラインが遮断された場合においても、上記消火栓３５を利用して火災の消火活動を行うとともに、上記給水タンク３４内に給水して水洗トイレの継続使用を可能にすることにより、上記浄化水貯留タンク３内に貯留された洗浄水の有効利用を図ることができる。
【００２７】
しかも、上記実施形態では、通常時に上記第２浄化処理タンク２の浄化水貯留室１６内に貯留された浄化水の一部を、給水手段３０によって水洗トイレの給水タンク３１に供給するとともに、残りを上記浄化水貯留タンク３に導出して貯留し、かつこの浄化水貯留タンク３の容量を、上記第１，第２浄化処理タンク１，２からなる汚水浄化処理装置の定期点検を行う前に上記浄化水貯留タンク３から浄化水がオーバフローするのを防止し得る値に設定したため、上記浄化水を河川等に放流することなく、これを有効に利用することができる。したがって、上記汚水浄化装置により浄化処理された浄化水が放流されて環境汚染が発生したり、河川等が富栄養化したりする等の弊害を生じることなく、上記浄化水の有効利用を図ることができるという利点がある。なお、通常時に、上記浄化水貯留タンク３内に貯留された浄化水を、水耕栽培植物等からなる作物の栽培水として供給することにより、上記浄化水の有効利用を図るように構成してもよい。
【００２８】
上記圧送手段５に、加圧ガスを貯留する蓄圧タンク３３と、この蓄圧タンク３３に貯留された加圧ガスを必要に応じて上記浄化水貯留タンク３に供給する第１供給管３４とを設けてなる上記実施形態に代え、手動操作により加圧ガスを上記浄化水貯留タンク３に供給する手動式の加圧ポンプ等を利用して上記浄化水貯留タンク３内に加圧ガスを圧送するように構成してもよい。しかし、上記実施形態に示すように、蓄圧タンク３３に貯留された加圧ガスを上記浄化水貯留タンク３に供給することにより、浄化水貯留タンク３内の浄化水を、上記給水タンク３１および消火栓３５等からなる被給水部に圧送するように構成した場合には、簡単かつ迅速に上記浄化水を被給水部に供給できるという利点がある。
【００２９】
また、上記実施形態に示すように、飲料水を貯留する飲料水貯留タンク４を設け、この飲料水貯留タンク４内に上記圧送手段５から加圧ガスを供給することにより、飲料水貯留タンク４内から押し出された浄化水を水道の蛇口３９等からなる被給水部に圧送するように構成した場合には、地震等からなる災害の発生時等に、ライフラインが回復されるまでの間、上記飲料水貯留タンク４を利用して飲料水を確保できるという利点がある。
【００３０】
なお、図１の仮想線で示すように、上記給水タンク３１および消火栓３５等からなる被給水部に上記浄化水貯留タンク３内の浄化水を供給する浄化水の供給タンク４３を、被給水部よりも高所に位置する家屋の屋上等に設け、地震等からなる災害の発生時等に、上記圧送手段５から浄化水貯留タンク３内に加圧ガスを供給することにより浄化水貯留タンク３内から押し出された浄化水を上記浄化水の供給タンク４３内に圧送するように構成してもよい。このように構成した場合には、上記蓄圧タンク３３、第１供給管３４、第１圧送管３７、浄化水貯留タンク３、第１圧送管３７、浄化水の供給タンク４３および被給水部等からなる給水ラインを気密状態に維持する等の複雑な構成を採用することなく、上記供給タンク４３内に圧送されて貯留された浄化水を、水洗トイレ９の給水タンク３１等からなる被給水部に供給してこの浄化水を長期間に亘り有効に利用できるという利点がある。
【００３１】
また、図３に示すように、家屋の屋上等に太陽光発電施設４４を設けるともに、風力発電施設４５を家屋の近傍等に設け、これらの発電施設４４，４５により得られた電力を、電柱４６を介して供給される商用電力とともに有効に利用するように構成してもよい。すなわち、上記太陽光発電施設４４および風力発電施設４５により得られた電力を接続端子４７およびインバータ４８を介して分電盤４９に供給し、この分電盤４９から家屋内の電気設備および上記ブロア１８および給水ポンプ２８等に供給するとともに、上記接続端子４７からチャージコントローラ５０を介して蓄電池５１に供給し、この蓄電池５１に充電するようにしてもよい。
【００３２】
上記のように構成した場合には、地震等からなる災害の発生時等に、ライフラインである商用電力の供給が停止された場合においても、上記ブロア１８および給水ポンプ２８等を作動させて上記汚水浄化装置を有効に作動させることができる。また、エンジン発電機等からなる非常用の発電機５２を設け、この非常用の発電機５２において発生した電力を分電盤４９から各所に供給するように構成してもよい。さらに、上記太陽発電施設４４および風力発電施設４５により得られた余分な電力を商用電力として売電するようにしてもよい。
【００３３】
また、上記太陽発電施設４４として集風ダクトを利用した風洞型風力発電機を使用し、この風洞型風力発電機の集風ダクト内に上記蓄圧タンク３３から必要に応じて圧縮ガスを供給するように構成してもよい。このように構成した場合には、風力が弱いときに、上記蓄圧タンク３３から供給される圧縮ガスの圧力を利用して風洞内の羽根を回転させることにより、効率よく電気エネルギーが得られるという利点がある。
【００３４】
図４に示すように、家屋内に配設されたキッチンユニット５３および風呂５４等から排出された排水を、排水管５５を介して第１浄化処理タンク１の最上流浄化処理室６内に導入させることにより、上記水洗トイレ９の便器１０から排出された汚水等とともに浄化処理するように構成してもよい。また、地震等からなる災害の発生時等に、飲料水貯留タンク４内に貯留された飲料水（水道水）を、第２圧送管４０を介してキッチンユニット５３および風呂５４の水道用蛇口に圧送する圧送管４０に、必要に応じて水洗トイレ９の給水タンク３１に上記飲料水貯留タンク４内の飲料水（水道水）を圧送する圧送管５６を設けた構造としてもよい。
【００３５】
さらに、図４に示す実施形態では、給水手段３０の給水ポンプ２８および給水パイプ２９により第２浄化処理タンク２の浄化水貯留室１６から導出された浄化水を、循環パイプ５７を介して循環させることにより、上記活性炭収容体２４が収容された吸着筒２３に処理水を通過させる循環手段の循環ポンプとして上記給水ポンプ２８を利用するように構成しているが、この構成に限られず、図２に示すように、別体の循環ポンプ２５を有する循環手段２８を設けた構成としてもよい。また、上記浄化水貯留タンク３内の浄化水を第１浄化処理タンク１の最上流浄化処理室６内に張水として供給する水中ポンプ５８、送水管５９および開閉弁６０を有する送水手段６１を設けた構造としてもよい。
【００３６】
上記送水手段６１を設けた場合には、上記第１，第２浄化処理タンク１，２からなる汚水浄化装置を定期点検する際等に、最上流浄化処理室６の吸引口に排水吸引手段の吸引ホース等を挿入して内部の汚水を吸引することにより、上記最上流浄化処理室６内の排水を外部に導出させるとともに、第２浄化処理室７および第３浄化処理室８等からなる浄化処理室内の処理水を順次外部に導出させた後、上記送水手段６１により浄化水貯留タンク３内の浄化水を排水浄化装置内に張水として供給できるという利点がある。また、地震等の災害の発生時において、電力の供給が行われて各ポンプの駆動が可能な状態にある場合には、通常時と同様に、給水手段３０の給水ポンプ２８を作動させて浄化水貯留室１６内の浄化水を水洗トイレ９の給水タンク３１内に浄化水を供給するとともに、上記送水手段６１の水中ポンプ５８を利用して浄化水貯留タンク３内の浄化水を消火水や洗車水として利用し、あるいは散水することも可能である。
【００３７】
なお、複数の浄化処理室６〜８を有する第１浄化処理タンク１と、この第１浄化処理タンク１から導出された処理水を浄化処理する複数の浄化処理室１３〜１５および浄化水を貯留する浄化水貯留室１６を有する第２浄化処理タンク２と、この第２浄化処理タンク２から導出された浄化水を貯留する浄化水貯留タンク３とを別体に形成した上記実施形態に代え、上記第１，第２浄化処理タンク１，２を一体に形成するとともに、これらと浄化水貯留タンク３とを別体に形成してもよい。また、上記第１，第２浄化処理タンク１，２と浄化水貯留タンク３とを一体に形成するとともに、その最下流部に大容量の浄化水貯留室を設け、この浄化水貯留室を上記被給水部に浄化水を供給する浄化水貯留タンクとして利用するように構成してもよい。
【図面の簡単な説明】
【００３８】
【図１】本発明に係る給水装置の実施形態を示す説明図である。
【図２】浄化水貯留室に設けられた循環手段の具体的構成を示す斜視図である。
【図３】電力供給システムの構成を示すブロック図である。
【図４】本発明に係る給水装置の別の実施形態を示す説明図である。
【符号の説明】
【００３９】
１  第１浄化処理タンク
２  第２浄化処理タンク
３  浄化水貯留タンク
４  飲料水貯留タンク
５  圧送手段
３１  給水タンク（被給水部）
３３  蓄圧タンク
３４  供給管
３５  消火栓（被給水部）
３９  蛇口（被給水部）
【図１】
2007177479.tif 000003
【図２】
2007177479.tif 000004
【図３】
2007177479.tif 000005
【図４】
2007177479.tif 000006